(57)【要約】【課題】電源を交換する作業が手間無く簡単に行える電子眼鏡を提供する。【解決手段】モダンとテンプルとを備えた電子眼鏡において、前記モダンのうち少なくとも一つは、その内部に電子眼鏡を駆動する電池を含み、且つ前記テンプルと着脱可能に構成されており、前記モダンは前記テンプルと接続するための接続機構を持ち、前記テンプルは前記接続機構と嵌合するための接続部を持ち、前記接続機構の表面には前記電池の両極に接続された導電部材が形成されており、前記接続部の表面には嵌合した際に前記導電部材と通電接続するための配線部材が形成されている電子眼鏡。【選択図】図１
2009237450.tif 000002
【特許請求の範囲】
【請求項１】
モダンとテンプルとを備えた電子眼鏡において、
前記モダンのうち少なくとも一つは、その内部に電子眼鏡を駆動する電池を含み、且つ前記テンプルと着脱可能に構成されている電子眼鏡。
【請求項２】
前記モダンは前記テンプルと接続するための接続機構を持ち、
前記テンプルは前記接続機構と嵌合するための接続部を持ち、
前記接続機構の表面には前記電池の両極に接続された導電部材が形成されており、
前記接続部の表面には嵌合した際に前記導電部材と通電接続するための配線部材が形成されている請求項１に記載の電子眼鏡。
【請求項３】
前記モダンは前記テンプルと接続するための接続機構を持ち、
前記テンプルは前記接続機構と嵌合するための接続部を持ち、
前記接続機構の表面には前記電池の両極に接続された導電部材が形成されており、
前記接続部の表面には前記電気導電部材と通電接続するための配線部材が形成されており、
前記電子眼鏡を装着した時のみ電気導電部材と前記配線部材とを接続するための装着検出機構を備えた請求項１に記載の電子眼鏡。
【請求項４】
前記接続部は、少なくとも一個の凹部又は凸部を備え、前記接続機構は前記凹部又は凸部と相補の凹部又は凸部を持つ請求項２又は３に記載の電子眼鏡。
【請求項５】
前記導電部材と前記配線部材の近傍にお互いに極性の異なる永久磁石を備えた請求項２又は３に記載の電子眼鏡。
【発明の詳細な説明】
【技術分野】
【０００１】
本発明は、電子眼鏡に関し、特に着脱式の電源供給機構に関する。
【背景技術】
【０００２】
眼鏡に電源を設置し、電源から供給される電圧の印加によって、眼鏡の持つ性能を可変させることが可能な電子眼鏡が知られている。電子眼鏡は主としてレンズの屈折率もしくは透過率等を電気信号により制御する。これらの電気的な制御で可変するレンズの性能を維持するにあたって、電源からの安定した電流、電圧供給が必要不可欠である。さらに、人体の頭部に装着するため、より小型、軽量で取扱いの容易な電源であることが望ましい。従来の電子眼鏡は、眼鏡フレームのモダンに構成された収納部に蓋を開けて電源を収納する方式としている（例えば、特許文献１参照。）。
【特許文献１】特開昭６１−１７７４３０号公報（第４頁、第３図）
【発明の開示】
【発明が解決しようとする課題】
【０００３】
しかしながら、前記従来の構成では、図８に示すように、モダンの側面に電源を収納するための開口部と、開口部を覆うための蓋で構成される。この構成では、手が不自由もしくは弱視を持つ使用者にとっては、蓋を外して小さな形状である電源を交換する作業が困難であるという課題を有していた。
【０００４】
本発明は、前記従来の課題を解決するもので、電源を交換する作業が手間無く簡単に行える電子眼鏡を提供することを目的とする。
【課題を解決するための手段】
【０００５】
前記従来の課題を解決するために、本発明の電子眼鏡は、モダンとテンプルとを備えた電子眼鏡において、前記モダンのうち少なくとも一つは、その内部に電子眼鏡を駆動する電池を含み、且つ前記テンプルと着脱可能に構成されていることを特徴としたものである。
【発明の効果】
【０００６】
本発明の電子眼鏡によれば、容易に電源交換を行うことができ、作業者の手間を低減することができる。
【発明を実施するための最良の形態】
【０００７】
以下に、本発明における電子眼鏡の実施の形態を図面とともに詳細に説明する。
【０００８】
（実施の形態１）
図１に、本発明の実施の形態１における電子眼鏡の斜視図、図２にモダンの斜視図、図３にテンプル及びモダンの上から見た断面図、図４にテンプル及びモダンの横から見た断面図を示す。
【０００９】
図１において、電子眼鏡１００は、レンズ１、フレーム２、テンプル３、モダン４で構成される。テンプル３の端には凸形状の端子６が備え付けてあり、端子６には正及び負の電極膜８ａ、８ｂが塗布されている。図１では端子６の形状は直方体で一方の面に２個の電極が塗布されているが、特に限定したものでなく、それぞれ異なる面に１個ずつ電極を塗布した構成でもよい。
【００１０】
図２において、モダン４の端には端子６を挿入するための開口部５が設置されている。開口部５及び端子６の断面形状はモダン４と接続した状態でモダン４が端子６を軸に回転しないように角形状であることが望ましいが、代わりに円形状あるいは楕円形状でもよい。左眼側と右眼側各々のテンプルに対してモダン４を反対に誤挿入するのを防ぐために、開口部５及び端子６の断面形状を非対称にすることが望ましい。また、端子６に塗布してある電極膜８ａ、８ｂの代わりに導線を接着する形でもよい。
【００１１】
図３、図４のように、モダン４の内部には電源９が設置され、電源９には正の電極１０ａ、負の電極１０ｂが接続されている。電源は、マンガン、アルカリ等を用いた一次電池、あるいは、ニカド、ニッケル水素等を用いた二次電池等を用いる。各々の電極１０ａ、１０ｂが電極膜８ａ、８ｂに接触することで導電しテンプル部に電圧が供給される。
【００１２】
以上のように、実施の形態１においてはテンプル３の端に設置された端子６を電源９が内臓されたモダン４の開口部５に差し込む方式により、簡単に電源交換することができる。また、実施の形態１では、テンプル３の端に凸形状の端子６、モダン４の端に凹形状の開口部５が構成されているが、反対にテンプル３の端に凹形状の開口部、モダン４の端に凸形状の端子を設置することもできる。また、図４のように窪み７と金具で形成した突起１１によって開口部５と端子６を固定することができる。上記の構成に加えて、モダン４と端子６とをネジ等で導通させることで、より安定して固定することもできる。
【００１３】
（実施の形態２）
図５に、本発明の実施の形態２における電子眼鏡のテンプル及びモダンの上から見た断面図、図６にテンプル及びモダンの斜視図を示す。図５において、実施の形態１と同様、モダン４の内部には電源９が設置され、電源９には正の電極１０ａ、負の電極１０ｂが接続されている。電源は、マンガン、アルカリ等を用いた一次電池、あるいは、ニカド、ニッケル水素等を用いた二次電池等を用いる。各々の電極１０ａ、１０ｂが電極膜８ａ、８ｂに接触することで導電しテンプル部に電圧が供給される。実施の形態１の構成と異なるところは支軸とバネで構成され、バネの働きによって電源をＯＮ／ＯＦＦさせることが可能な装着検出機構１２を設け、この装着検出機構１２を中心に接続部材１４が回転するようにした点である。接続部材１４の側面には導電性の金属膜が形状に沿って２本平行に塗布されており、電極膜８ａ、８ｂと接触する部分には全面に塗布している形としている。
【００１４】
図５（ａ）は眼鏡を人体の頭部に装着していない状態、すなわち、モダン４に圧力が加えられていない状態を示している。この時バネを利用した装着検出機構１２の作用によって、接続部材１４は真上から見て反時計回り方向に力が働き、電極膜８ａ、８ｂは電極１０ａ、１０ｂから離れる。したがって、電極膜８ａ、８ｂと電極１０ａ、１０ｂは開放された状態となり、電源がＯＦＦの状態となる。
【００１５】
図５（ｂ）は眼鏡を人体の頭部に装着している状態であり、この時モダン４の内側（頭部側）から圧力が加わる。圧力が加わるとバネを利用した装着検出機構１２を支点として電池９の位置が頭部の外側に向かって押され、部材１４は真上から見て時計回り方向に回転し、電極１０が電極膜８に接触され電源がＯＮの状態となる。そこで眼鏡を人体の頭部から外すと、電極膜８と電極１０は開放され、再び電源はＯＦＦとなる。モダンの素材は合成樹脂等を用いるが、材質としてはやや柔らかく耐久性のあるものが望ましい。
【００１６】
また、図５、図６ではモダン４の内部構造が眼鏡１００の左眼側であるがこれに限定することなく、図５、図６のモダン４の内部構造を反転した形とすれば右眼側としても適用できる。
【００１７】
（実施の形態３）
図７に、本発明の実施の形態３における電子眼鏡のテンプル及びモダンの上から見た断面図を示す。
【００１８】
図７において、実施の形態１、実施の形態２と同様、モダン４の内部には電源９が設置され、電源９には正の電極１０ａ、負の電極１０ｂが接続されている。電源は、マンガン、アルカリ等を用いた一次電池、あるいは、ニカド、ニッケル水素等を用いた二次電池等を用いる。各々の電極１０ａ、１０ｂが電極膜８ａ、８ｂに接触することで導電しテンプル部に電圧が供給される。実施の形態１の構成と異なるところは、端子６を開口部５に差し込み固定するための窪み７および突起１１の代わりとして、端子６の先端部にＮ極の永久磁石１５ａ、開口部５の奥部にＳ極の永久磁石１５ｂを設けた点である。図７では、端子６の先端部にＮ極、開口部５の奥部にＳ極の永久磁石を設けているが、反対に端子６の先端部にＳ極、開口部５の奥部にＮ極の永久磁石を設けてもよい。
【００１９】
このような構成により、端子６を開口部５に差し込んだ時、各々の極性の異なる永久磁石１５ａ、１５ｂの間で働く引力によって端子６が開口部５に固定され、誤って端子６が開口部５から外れるのを防ぐ効果がある。
【産業上の利用可能性】
【００２０】
本発明にかかる電子眼鏡は、容易に電源交換を行うことを有し、電子制御式眼鏡等として有用である。また、印加電圧によって焦点距離あるいは透過率等を可変させる電子制御式眼鏡に好適に利用できるものである。
【図面の簡単な説明】
【００２１】
【図１】本発明の実施の形態１における電子眼鏡の斜視図
【図２】本発明の実施の形態１におけるモダンの斜視図
【図３】本発明の実施の形態１におけるテンプル及びモダンの上から見た断面図
【図４】本発明の実施の形態１におけるテンプル及びモダンの横から見た断面図
【図５】本発明の実施の形態２におけるテンプル及びモダンの上から見た断面図
【図６】本発明の実施の形態２におけるテンプル及びモダンの斜視図
【図７】本発明の実施の形態３におけるテンプル及びモダンの上から見た断面図
【図８】従来の電子眼鏡におけるモダンの斜視図
【符号の説明】
【００２２】
１  レンズ
２  フレーム
３  テンプル
４  モダン
５  開口部
６  端子
７  窪み
８ａ  電極膜（＋極）
８ｂ  電極膜（−極）
９  電池
１０ａ  電極（＋極）
１０ｂ  電極（−極）
１１ａ、１１ｂ  突起
１２  装着検出機構
１３ａ、１３ｂ  導線
１４  接続部材
１５ａ  永久磁石（Ｎ極）
１５ｂ  永久磁石（Ｓ極）
２１  耳掛部
２２  収納部
２３  開口部
２４  つまみ
２５  蓋体
１００  眼鏡
【図１】
2009237450.tif 000003
【図２】
2009237450.tif 000004
【図３】
2009237450.tif 000005
【図４】
2009237450.tif 000006
【図５】
2009237450.tif 000007
【図６】
2009237450.tif 000008
【図７】
2009237450.tif 000009
【図８】
2009237450.tif 000010